(57)【要約】【課題】操作キーやパネルの各寸法関係の悪条件に影響されることなく、また、安価に製造でき、より確実に遮光効果を得ることのできる操作キー入力装置の遮光構造を提供する。【解決手段】パネル１の表面に形成された開口部１１を覆うように設けられた操作キー２と、回路基板３上に設けられて操作キー２を照明する光源４とを備えた操作キー入力装置１００の遮光構造は、パネル１の開口部１１周囲に、開口部１１周囲から上方に延出し、操作キー２の内側に配置されるリブ部１２が形成され、リブ部１２の外側面と操作キー２の内側面との互いに対向する箇所に凹凸部１２a、２２aが形成されている。【選択図】図１
2006155995.tif 000002
【特許請求の範囲】
【請求項１】
パネルの表面に形成された開口部を覆うように設けられた操作キーと、回路基板上に設けられて前記操作キーを照明する光源とを備えた操作キー入力装置の遮光構造において、
前記パネルの開口部周囲に、前記開口部周囲から上方に延出し、前記操作キーの内側に配置されるリブ部が形成され、
前記リブ部の外側面と前記操作キーの内側面との互いに対向する箇所に凹凸部が形成されていることを特徴とする操作キー入力装置の遮光構造。
【請求項２】
前記リブ部の周囲には、前記操作キーの側部が挿入される凹溝が形成されていることを特徴とする請求項１に記載の操作キー入力装置の遮光構造。
【発明の詳細な説明】
【技術分野】
【０００１】
本発明は、操作キー入力装置の遮光構造に関する。
【背景技術】
【０００２】
例えば、キーボード等に多数使用されるキースイッチは、回路基板上にスイッチが配設され、さらにＬＥＤ（発光ダイオード）やランプ等の点灯手段が設けられており、このＬＥＤの上方にキーボードを構成するパネルや操作キーが配置されている。これらパネルと操作キーとは、一般にパネルに形成された開口部内に操作キーが嵌め込まれる構成となっている。
ところで、このようなＬＥＤを有するキースイッチにおいて、ＬＥＤが発光する光を遮光するために、ＬＥＤを覆うようにして遮光部材を設けたり（例えば、特許文献１参照）、パネルの開口部に嵌め込まれる操作キーにフランジを形成することによってＬＥＤの発光が外側に漏れないようにする技術（例えば、特許文献２参照）や、操作キーを複数に分割してパネルを挟んで組み立てる構造で遮光する技術（例えば、特許文献３参照）が開示されている。その他、図３に示すように、光漏れを極力少なくするために操作キー２Ａが摺動可能な限界までパネル１Ａと操作キー２Ａとの隙間Ｘの寸法を狭くする場合がある。なお、図３中、符号３Ａは回路基板、符号４ＡはＬＥＤである。
【特許文献１】実開昭６１−１９９８３０号公報
【特許文献２】特開２００２−１８２５９５号公報
【特許文献３】実開平３−７２２０号公報
【発明の開示】
【発明が解決しようとする課題】
【０００３】
しかしながら、上記特許文献１に記載された遮光構造では、部品点数が増える上、遮光部品を取り付けるために回路基板上に電気部品を配置するスペースに制約が発生するという問題があった。また、部品点数が増えることからコスト高となっていた。
さらに、上記特許文献２に記載の遮光構造においては、操作キーにフランジを形成することによって光漏れを防止しているが、フランジのみでは遮光が不十分であった。
また、上記特許文献３に記載の遮光構造においては、操作キーを分割しているので、その操作キーの金型代・部品代が嵩み、組立工数も増えるという問題があった。
また、図３に示す遮光構造では、操作キー２Ａやパネル１Ａの各寸法関係の条件が悪いと光漏れが発生するので、遮光が不十分であった。
本発明は、上記事情に鑑みてなされたもので、操作キーやパネルの各寸法関係の悪条件に影響されることなく、また、安価に製造でき、より確実に遮光効果を得ることのできる操作キー入力装置の遮光構造を提供することを目的としている。
【課題を解決するための手段】
【０００４】
上記課題を解決するため、請求項１の発明は、パネルの表面に形成された開口部を覆うように設けられた操作キーと、回路基板上に設けられて前記操作キーを照明する光源とを備えた操作キー入力装置の遮光構造において、
前記パネルの開口部周囲に、前記開口部周囲から上方に延出し、前記操作キーの内側に配置されるリブ部が形成され、
前記リブ部の外側面と前記操作キーの内側面との互いに対向する箇所に凹凸部が形成されていることを特徴とする。
【０００５】
請求項２の発明は、請求項１に記載の操作キー入力装置の遮光構造において、
前記リブ部の周囲には、前記操作キーの側部が挿入される凹溝が形成されていることを特徴とする。
【発明の効果】
【０００６】
本発明に係る操作キー入力装置の遮光構造によれば、パネルの開口部周囲に上方に延出し操作キーの内側に配置されるリブ部が形成され、リブ部の外側面と操作キーの内側面との互いに対向する箇所に凹凸部が形成されているので、これら凹凸部によって、光源から照射されて反射した反射光による光漏れを防止することができる。すなわち、従来と異なり、凹凸部で反射光が複数回反射されることによって、その反射光の光量が小さくなることから光漏れを防止することができ、その結果、確実に遮光効果を得ることができる。
また、パネルのリブ部外側面と操作キーの内側面とを利用しているので、スペースを取らずにデザインにもほとんど影響を及ぼすことがない。さらには、操作キーやパネルの各寸法関係の悪条件に影響されることもない。
また、部品点数を増やす必要もなく、安価にかつ容易に製造することができる。
【発明を実施するための最良の形態】
【０００７】
以下、本発明の実施の形態について図面を参照しながら説明する。
図１は、本発明の実施の形態の操作キー入力装置の遮光構造を示す側断面図である。
本発明の遮光構造を有する操作キー入力装置１００は、パネル１、操作キー２、回路基板３、光源４、タクトスイッチ（図示しない）等から構成されている。
【０００８】
パネル１は、その表面に開口部１１が形成されており、開口部１１を覆うように操作キー２が設けられている。
操作キー２は、側面視略コ字型をなし、開口部１１の上方に配置される表示部２１と、表示部２１に連続して形成され、後述する凹溝１３に挿入される挿入部（側部）２２とを備えている。
【０００９】
また、パネル１の開口部１１周囲には、その開口部１１周囲から上方に延出し操作キー２の内側に配置されるリブ部１２が形成されている。そして、リブ部１２の外側面と操作キー２の内側面との互いに対向する箇所に凹凸部１２a、２２aが形成されている。
凹凸部１２a、２２aは、階段状に形成されたものであって、リブ部１２及び操作キー２にそれぞれ形成された凹凸部１２a、２２aは互いに係合可能とされている。
また、凹凸部１２a、２２aは１つの段差を有するものとしても良いし、図２に示すように、複数の段差を有するものであっても良いが、複数段形成した場合の方が遮光効果が高くなる点で好ましい。
また、リブ部１２の周囲には操作キー２の挿入部２２が挿入される凹溝１３が形成され、この凹溝１３に挿入部２２が挿入されることによって表示部２１が開口部１１上に配置されるように、操作キー２がパネル１によって保持されている。
【００１０】
一方、操作キー２の下方には回路基板３が配置されている。回路基板３上には、操作キー２を照明する、例えばＬＥＤやランプ等の光源４が配置されている。また、回路基板３上には、操作キー２を押下することにより入力可能なタクトスイッチが配置されている。
【００１１】
したがって、このような遮光構造とすることによって、光源４から照射された光は、操作キー２の表示部２１に到達するとリブ部１２の凹凸部１２aに反射して、さらに、挿入部２２の凹凸部２２aへと順次反射を繰り返し、その結果、反射光量が小さくなり光漏れが防止される。
【００１２】
以上、本発明の実施の形態の操作キー入力装置１００の遮光構造によれば、パネル１の開口部１１周囲に上方に延出し操作キー２の内側に配置されるリブ部１２が形成され、リブ部１２の外側面と操作キー２の内側面との互いに対向する箇所に凹凸部１２a、２２aが形成されているので、これら凹凸部１２a、２２aによって、光源４から照射されて反射した反射光による光漏れを防止することができる。すなわち、従来と異なり、凹凸部１２a、２２aで反射光が複数回反射されることによって、その反射光の光量が小さくなることから光漏れを防止することができ、その結果、確実に遮光効果を得ることができる。
また、パネル１のリブ部１２の外側面と操作キー２の挿入部２２の内側面とを利用しているので、スペースを取らずにデザインにも殆ど影響を及ぼすことがない。さらには、操作キー２やパネル１の各寸法関係の悪条件に影響されることもない。
また、部品点数を増やす必要もなく、安価にかつ容易に製造することができる。
さらに、リブ部１２の周囲には、操作キー２の挿入部２２が挿入される凹溝１３が形成されているので、操作キー２の挿入部２２を凹溝１３に挿入することによって挿入キー２をパネル１表面で確実に保持することができる。
【００１３】
なお、本発明は上記実施の形態に限定されるものではなく、その要旨を逸脱しない範囲で適宜変更可能である。
例えば、凹凸部１２a、２２aは階段状としたが、特にこの形状に限らず、光を反射できるように細かな溝状のものであっても良い。
【図面の簡単な説明】
【００１４】
【図１】本発明の実施の形態を示すためのもので、操作キー入力装置の遮光構造の側断面図である。
【図２】その他の実施の形態を示すためのもので、操作キー入力装置の遮光構造の側断面図である。
【図３】従来例を示すためのもので、操作キー入力装置の遮光構造の側断面図である。
【符号の説明】
【００１５】
１  パネル
２  操作キー
３  回路基板
４  光源
１１  開口部
１２  リブ部
１２a  凹凸部
１３  凹溝
２２a  凹凸部
１００  操作キー入力装置
【図１】
2006155995.tif 000003
【図２】
2006155995.tif 000004
【図３】
2006155995.tif 000005